(57)【要約】【課題】  以前に再生していたデータの続きのデータをすぐに再生できる「再生装置」、「情報処理方法」および「プログラム」を提供する。【解決手段】  再生装置１は、音楽データを格納する音楽情報格納部２と、再生リストに従って音楽情報格納部２に格納された音楽データを再生する再生部と、再生予定の音楽データをメディアドライブ１１を介して可搬性記録媒体２０に格納する処理、および可搬性記録媒体２０に格納した再生予定の音楽データの中から再生が終了した音楽データを削除する処理を行う制御部４とを備える。可搬性記録媒体２０を持ち運ぶことで他の場所で以前に再生していたデータの続きのデータをすぐに再生することができる。また、可搬性記録媒体２０にコピーするためのユーザの操作の手間が削減される。さらに、残りの再生予定データを格納するまでの待ち時間をなくすことができる。【選択図】        図１
2005209293.tif 000002
【特許請求の範囲】
【請求項１】
所定の再生リストに従って格納部に格納されたデータを再生する再生部を有する再生装置において、
前記再生リスト中の再生予定データがすべて再生されなかった場合、残りの再生予定データを所定の可搬性記録媒体へ格納する処理を行う制御部を備えることを特徴とする再生装置。
【請求項２】
所定の再生リストに従って格納部に格納されたデータを再生する再生部を有する再生装置において、
再生予定データを所定の可搬性記録媒体に格納する処理、および前記可搬性記録媒体に格納した再生予定データの中から再生が終了したデータを削除する処理を行う制御部を備えることを特徴とする再生装置。
【請求項３】
前記制御部は、前記可搬性記録媒体に再生予定データを格納する際に、再生予定データ中の一部のデータを格納し、前記可搬性記録媒体に格納した再生予定データの中から再生が終了したデータを削除した後に、前記再生予定データ中の残りの部分のデータを可変性記録媒体に格納することを特徴とする請求項２記載の再生装置。
【請求項４】
所定の再生リストに従って格納部に格納されたデータを再生する処理を行う情報処理方法において、
前記再生リスト中の再生予定データがすべて再生されなかった場合、残りの再生予定データを所定の可搬性記録媒体へ格納する格納ステップを有することを特徴とする情報処理方法。
【請求項５】
所定の再生リストに従って格納部に格納されたデータを再生する処理を行う情報処理方法において、
再生予定データを所定の可搬性記録媒体に格納する格納ステップと、
前記可搬性記録媒体に格納した再生予定データの中から再生が終了したデータを削除する削除ステップとを有することを特徴とする情報処理方法。
【請求項６】
所定の再生リストに従って格納部に格納されたデータを再生する処理、
前記再生リスト中の再生予定データがすべて再生されなかった場合、残りの再生予定データを所定の可搬性記録媒体へ格納する処理をコンピュータに実行させるためのプログラム。
【請求項７】
所定の再生リストに従って格納部に格納されたデータを再生する処理、
再生予定データを所定の可搬性記録媒体に格納する処理、
前記可搬性記録媒体に格納した再生予定データの中から再生が終了したデータを削除する処理をコンピュータに実行させるためのプログラム。
【発明の詳細な説明】
【技術分野】
【０００１】
本発明は、再生装置、情報処理方法およびプログラムに関する。
【背景技術】
【０００２】
従来、デジタル技術の進展に伴ってオーディオ信号をデジタル信号として再生する再生装置が広く普及している。この再生装置では、例えば、ＣＤ（コンパクトディスク）、ＭＤ（ミニディスク）、ＨＤＤ（ハードディスク）等がオーディオ信号に対応するデジタル信号の情報記憶媒体として用いられており、これらの情報記憶媒体に格納されたデジタル信号を読み出すことにより音楽データの再生が行われる。
【０００３】
また、音楽データをネットワークを介して提供する従来技術として以下のようなものが提案されている。特許文献１記載の装置は、通信ネットワークを通じてユーザ端末と通信可能なコンテンツ提供システムの管理サーバ装置が、ユーザ端末に対するユーザ入力に基づいて、コンテンツのプレイリストを作成し、ユーザ端末からの要求に応じて、プレイリストをユーザ端末へ送信する。これにより、ユーザが手軽に簡単な操作で所望のコンテンツを視聴できるというものである。
【０００４】
【特許文献１】特開２００３−５０５８８号公報
【発明の開示】
【発明が解決しようとする課題】
【０００５】
しかしながら、上記従来技術では、ユーザが今聞いている曲の続きを他の場所で聞きたいと考えた場合、聞きたい曲を選択して可搬性記録媒体に記録しなければならないという作業が必要になる。
【０００６】
また、特許文献１記載の装置では、移動先で所望の曲データを再生することができるものの、以前にどこまで聞いたかを覚えていなければならず、以前に再生していたデータの続きをすぐに再生できないという問題がある。
【０００７】
そこで、本発明は、これらの問題を解決するためになされたもので、ユーザの操作なしに、以前に再生していたデータの続きをすぐに再生できる再生装置、情報処理方法およびプログラムを提供することを目的とする。
【課題を解決するための手段】
【０００８】
上記課題を解決するために、本発明の再生装置は、所定の再生リストに従って格納部に格納されたデータを再生する再生部を有する再生装置において、前記再生リスト中の再生予定データがすべて再生されなかった場合、残りの再生予定データを所定の可搬性記録媒体へ格納する処理を行う制御部を備えることを特徴とする。
【０００９】
本発明によれば、再生予定データがすべて再生されなかった場合、残りの再生予定データを可搬性記録媒体へ格納するようにしたので、可搬性記録媒体を持ち運ぶことで他の場所で以前に再生していたデータの続きをすぐに再生することができる。また、残りの再生予定データを自動で可搬性記録媒体に格納するので、可搬性記録媒体にコピーするためのユーザの操作の手間が削減される。
【００１０】
本発明の再生装置は、所定の再生リストに従って格納部に格納されたデータを再生する再生部を有する再生装置において、再生予定データを所定の可搬性記録媒体に格納する処理、および前記可搬性記録媒体に格納した再生予定データの中から再生が終了したデータを削除する処理を行う制御部を備えることを特徴とする。
【００１１】
本発明によれば、再生予定データを所定の可搬性記録媒体に格納し、可搬性記録媒体に格納した再生予定データの中から再生が終了したデータを削除するようにしたので、可搬性記録媒体を持ち運ぶことで他の場所で以前に再生していたデータの続きをすぐに再生することができる。また、可搬性記録媒体にコピーするためのユーザの操作の手間が削減される。さらに、残りの再生予定データを格納するまでの待ち時間をなくすことができる。
【００１２】
本発明は、上記構成において、前記制御部は、前記可搬性記録媒体に再生予定データを格納する際に、再生予定データ中の一部のデータを格納し、前記可搬性記録媒体に格納した再生予定データの中から再生が終了したデータを削除した後に、前記再生予定データ中の残りの部分のデータを可変性記録媒体に格納することを特徴とする。
【００１３】
本発明によれば、可搬性記録媒体に再生予定データを格納する際に、再生予定データ中の一部のデータを格納し、可搬性記録媒体に格納した再生予定データの中から再生が終了したデータを削除した後に、再生予定データ中の残りの部分のデータを可搬性記録媒体に格納するので、可搬性記録媒体の容量が少ない場合でも、データを最大限に格納できる。
【００１４】
本発明の情報処理方法は、所定の再生リストに従って格納部に格納されたデータを再生する処理を行う情報処理方法において、前記再生リスト中の再生予定データがすべて再生されなかった場合、残りの再生予定データを所定の可搬性記録媒体へ格納する格納ステップを有することを特徴とする。
【００１５】
本発明によれば、再生予定データがすべて再生されなかった場合、残りの再生予定データを可搬性記録媒体へ格納するようにしたので、可搬性記録媒体を持ち運ぶことで他の場所で以前に再生していたデータの続きをすぐに再生できる。また、残りの再生予定データを自動で可搬性記録媒体に格納するので、可搬性記録媒体にコピーするためのユーザの操作の手間が削減される。
【００１６】
本発明の情報処理方法は、所定の再生リストに従って格納部に格納されたデータを再生する処理を行う情報処理方法において、再生予定データを所定の可搬性記録媒体に格納する格納ステップと、前記可搬性記録媒体に格納した再生予定データの中から再生が終了したデータを削除する削除ステップとを有することを特徴とする。
【００１７】
本発明によれば、再生予定データを所定の可搬性記録媒体に格納し、可搬性記録媒体に格納した再生予定データの中から再生が終了したデータを削除するようにしたので、可搬性記録媒体を持ち運ぶことで他の場所で以前に再生していたデータの続きをすぐに再生することができる。また、可搬性記録媒体にコピーするためのユーザの操作の手間が削減される。さらに、残りの再生予定データを格納するまでの待ち時間をなくすことができる。
【００１８】
本発明のプログラムは、所定の再生リストに従って格納部に格納されたデータを再生する処理、前記再生リスト中の再生予定データがすべて再生されなかった場合、残りの再生予定データを所定の可搬性記録媒体へ格納する処理をコンピュータに実行させる。
【００１９】
本発明によれば、再生予定データがすべて再生されなかった場合、残りの再生予定データを可搬性記録媒体へ格納するようにしたので、可搬性記録媒体を持ち運ぶことで他の場所で以前に再生していたデータの続きをすぐに再生することができる。また、残りの再生予定データを自動で可搬性記録媒体に格納するので、可搬性記録媒体にコピーするためのユーザの操作の手間が削減される。
【００２０】
本発明のプログラムは、所定の再生リストに従って格納部に格納されたデータを再生する処理、再生予定データを所定の可搬性記録媒体に格納する処理、前記可搬性記録媒体に格納した再生予定データの中から再生が終了したデータを削除する処理をコンピュータに実行させる。
【００２１】
本発明によれば、再生予定データを所定の可搬性記録媒体に格納し、可搬性記録媒体に格納した再生予定データの中から再生が終了したデータを削除するようにしたので、可搬性記録媒体を持ち運ぶことで他の場所で以前に再生していたデータの続きをすぐに再生することができる。また、可搬性記録媒体にコピーするためのユーザの操作の手間が削減される。さらに、残りの再生予定データを格納するまでの待ち時間をなくすことができる。
【発明の効果】
【００２２】
本発明によれば、ユーザの操作無しに、以前に再生していたデータの続きをすぐに再生できる再生装置、情報処理方法およびプログラムを提供できる。
【発明を実施するための最良の形態】
【００２３】
以下、本発明を実施するための最良の形態について説明する。
【実施例１】
【００２４】
図１は、第１実施例に係る再生装置のブロック図である。図１に示すように、再生記録装置１は、音楽情報格納部２、再生リスト格納部３、制御部４、操作部５、表示部６、音声処理部７、Ｄ／Ａ変換部８、アンプ９、スピーカ１０、メディアドライブ１１を備える。再生記録装置１は、再生リストに従って音楽データを再生するものである。
【００２５】
音楽情報格納部２は、音楽データを格納する。この音楽情報格納部２は、例えばハードディスクで構成され、制御部４により図示省略するハードディスクドライブが駆動されて、音楽情報の読出しおよび書き込みが行われる。ハードディスクに限らず、ＣＤ等であってもよい。再生リスト格納部３は、再生リストを格納する。
【００２６】
制御部４は、例えば、ＣＰＵ（Central Processing Unit）等により構成され、所定のプログラムを実行することで再生記録装置１全体の動作を制御する。この制御部４は、再生リスト格納部３に格納された再生リストに従って音楽情報格納部２に格納された音楽データを読出し、この音楽データを音声処理部７に出力することで音楽データの再生処理を行う。
【００２７】
また、制御部４は、再生予定の音楽データを音楽情報格納部２から読み出し、この音楽データをメディアドライブ１１を介して可搬性記録媒体２０に格納する処理、および可搬性記録媒体２０に格納した再生予定の音楽データの中から再生が終了した音楽データを削除する処理を行う。また、制御部４は、音楽データに含まれるタグ情報を抽出して曲のタイトルやアーティスト名等を表示部６に表示する処理や、再生中の曲の経過時間等を表示する等の処理を行う。
【００２８】
操作部５は、各種の操作キーを備えており、利用者により与えられた種々の操作指示に応じた信号を制御部４に出力する。表示部６は、制御部４から出力される画像データに基づいて、現在再生中の曲の曲名やアーティスト名、再生中の曲の経過時間、再生リスト等を表示する。信号処理部７は、例えば、ＤＰＳ（Digital Signal Processor）により構成され、制御部４から出力される音楽データに対して、伸長処理、音量や音質の補正処理等の信号処理を行う。
【００２９】
Ｄ／Ａ変換部８は、制御部４から出力されるディジタル音楽情報をアナログ信号に変換する。アンプ９は、Ｄ／Ａ変換部８から出力されるアナログ信号を所定のゲインで増幅する。スピーカ１０は、アンプ９から出力される増幅後のアナログ信号に対応した音声を出力する。
【００３０】
メディアドライブ１１は、可搬性記録媒体２０に対してデータの記録またはデータの読出しを行う。可搬性記録媒体２０は、着脱可能でデータの記録、消去が可能なメディアである。この可搬性記録媒体には、例えば、スマートメディア、メモリスティック等が含まれる。ユーザはこの可搬性記録媒体２０を持ち運ぶことで他の場所で以前に再生していたデータの続きをすぐに再生することができる。
【００３１】
なお、音楽情報格納部２が、特許請求の範囲における格納部に相当し、音声処理部７等の音声を再生する箇所が特許請求の範囲における再生部に相当する。
【００３２】
次に、可搬性記録媒体２０へのデータの格納方法について説明する。図２は、可搬性記録媒体２０へのデータの格納方法を説明するための図である。図２に示す例では、５０曲分の音楽データを可搬性記録媒体２０に格納する例である。制御部４は、再生リスト格納部３に格納された再生リストに基づき音楽情報格納部２から音楽データを読み出して再生処理を行う。現在再生リスト中の４番目の曲データを再生しているものとする。
【００３３】
制御部４は、上記再生処理と並行して、現在再生中の曲から５０曲分の曲データを可搬性記録媒体２０に格納する。次に、制御部４は、現在再生中の４番目の曲データの再生処理が終わると、５番目の曲データの再生処理を行う。このとき、４番目の曲データは必要でないため、可搬性記録媒体２０から４番目の曲データを削除し、新たに５４番目の曲データを可搬性記録媒体２０に格納する。これにより、残りの再生予定曲が５０曲以上ある場合には、可搬性記録媒体２０に常に５０曲分の音楽データが格納される。可搬性記録媒体２０の容量を最大限に活用できる。
【００３４】
なお、可搬性記録媒体２０に格納できる曲数は、可搬性記録媒体２０の容量に応じて可変にできるようにしても良いし、ユーザが操作部５を操作して任意に設定できるようにしてもよい。
【００３５】
次に、第１実施例に係る再生装置の動作例について説明する。図３は第１実施例に係る再生装置１の動作フローチャートである。ユーザが操作部５を操作することにより再生装置の再生処理がスタートする。
【００３６】
ステップＳ１１で、制御部４は、再生リスト格納部３に格納された再生リストに従って音楽情報格納部２に格納された１曲目の音楽データを読み出して、音声処理部７に出力して再生処理を行う。ステップＳ１２で、制御部４は、現在再生中の１曲目から５０曲分の音楽データを音楽情報格納部２から読み出し、この１曲目から５０曲分の曲データをメディアドライブ１１を介して可搬性記録媒体２０に格納する。ここで、可搬性記録媒体２０に格納する曲データを５０曲分としているのは、可搬性記録媒体２０の容量を考慮したためである。可搬性記録媒体が大容量の場合は特に曲数に制限を設ける必要はなく、すべての曲データを可搬性記録媒体２０に格納するようにしてもよい。
【００３７】
ステップＳ１３で、制御部４は、１曲目の音楽データの再生が終了した場合、ステップＳ１４で、２曲目の音楽データを音楽情報格納部２から読み出し、この２曲目の音楽データを音声処理部７に出力し、２曲目の音楽データを再生する。ステップＳ１５で、制御部４は、メディアドライブ１１を介して可搬性記録媒体２０に格納した再生予定データの中から再生が終了した１曲目の曲データを削除する。
【００３８】
ステップＳ１６で、制御部４は、５１曲目の音楽データを音楽情報格納部２から読み出し、この５１曲目の音楽データをメディアドライブ１１を介して可搬性記録媒体２０に格納する。ステップＳ１７で、制御部４は、２曲目の音楽データの再生が終了したかをどうか見て、２曲目の音楽データの再生が終了していれば、次の曲データについても上記と同様の処理を行う。
【００３９】
本実施例によれば、再生予定データを可搬性記録媒体２０に格納し、可搬性記録媒体２０に格納した再生予定データの中から再生が終了したデータを削除するようにしたので、可搬性記録媒体２０を持ち運ぶことで他の場所で以前に再生していたデータの続きのデータをすぐに再生することができる。また、可搬性記録媒体２０にコピーするためのユーザの操作の手間が削減される。また、従来必要であった残りの再生予定データを格納するまでの待ち時間をなくすことができる。
【００４０】
また、可搬性記録媒体２０に再生予定データを格納する際に、再生予定データ中の一部のデータを格納し、可搬性記録媒体２０に格納した再生予定データの中から再生が終了したデータを削除した後に、再生予定データ中の残りの部分のデータを容量に応じて可搬性記録媒体２０に格納するので、可搬性記録媒体２０の容量が少ない場合でも、データを最大限に格納できる。
【実施例２】
【００４１】
次に、第２実施例について説明する。なお、第２実施例では、第１実施例と動作のみ異なるため、図１で説明した再生装置１を用いて説明する。図４は、第２実施例に係る再生装置の動作フローチャートである。ユーザが操作部５を操作することにより再生処理がスタートされる。
【００４２】
ステップＳ２１で、制御部４は、再生リスト格納部３に格納された再生リストに従って音楽情報格納部２に格納された音楽データを読み出して、この音楽データを音声処理部７に出力することで、音楽データを再生する。ここで、例えば、ユーザによる操作部５の操作や、自動車の電源部からの電源供給の停止により強制的に再生装置１の再生処理が停止されたものとする。
【００４３】
ステップＳ２２で、制御部４は、再生リスト中の再生予定データをすべて再生したかどうかを見て、再生予定の音楽データをすべて再生した場合には、処理を終了する。ステップ２２で、制御部４は、再生予定の音楽データがすべて再生されていない場合、ステップＳ２３で、残りの再生予定の音楽データを音楽情報格納部２から読出し、この残りの再生予定の音楽データをメディアドライブ１１を介して可搬性記録媒体２０に格納する。
【００４４】
車内でＨＤＤに録音されている音楽を聞く際、可搬性記録媒体２０を常にこれから再生する予定の曲が保存されている状態にしておくことで、車外にでるときに、この可搬性記録媒体２０を携帯すれば、チェックアウトする曲をユーザが意識することなく、車外のポータブルプレーヤーや室内のオーディオなどで車内で聞いていた続きの曲を聴くことができる。なお、再生装置１が車両に搭載されている場合、ナビゲーション装置の目的設定地を考慮して、ステップＳ２２の判断を行うようにしてもよい。
【００４５】
第２実施例によれば、再生予定データがすべて再生されなかった場合、残りの再生予定データを可搬性記録媒体２０へ格納するようにしたので、可搬性記録媒体２０を持ち運ぶことで他の場所で以前に再生していたデータの続きのデータをすぐに再生することができる。また、残りの再生予定データを自動で可搬性記録媒体２０に格納するので、可搬性記録媒体２０にコピーするためのユーザの操作の手間が削減される。
【００４６】
また、上記各実施例は、英語教材等のＣＤに対しても適用することができる。この場合、例えば章ごとやページごとに可搬性記録媒体２０にデータを格納するようにしてもよい。ＣＤブックの英語教材など連続して聞きたいソースをユーザが聞いているときに特に効果がある。また、通常の音楽の再生リストなどでも有効である。
【００４７】
以上、本発明の好ましい実施例について詳述したが、本発明は係る特定の実施例に限定されるものではなく、特許請求の範囲に記載された本発明の要旨の範囲内において、種々の変形・変更が可能である。なお、図１で示した再生装置の構成は一例であり図示の構成には限定されない。また、上記実施例では、音楽データを例にとって説明したが、本発明におけるデータは、音楽データだけに限らず、映像データ、およびその両方を含んでいても良い。
【図面の簡単な説明】
【００４８】
【図１】第１実施例に係る再生装置のブロック図である。
【図２】可搬性記録媒体へのデータの格納方法を説明するための図である。
【図３】第１実施例に係る再生装置の動作フローチャートである。
【図４】第２実施例に係る再生装置の動作フローチャートである。
【符号の説明】
【００４９】
１  再生装置
２  音楽情報格納部
３  再生リスト格納部
４  制御部
１１  メディアドライブ
２０  可搬性記録媒体
【図１】
2005209293.tif 000003
【図２】
2005209293.tif 000004
【図３】
2005209293.tif 000005
【図４】
2005209293.tif 000006